(57)【要約】 【課題】  骨伝導スピーカの音響振動体の接触位置と接触圧力を簡便に調整することが可能で、かつ、体積や重量の増大を抑えることが可能な骨伝導型受話装置を提供すること。【解決手段】  Ｕ字型アーム１とその先端に接続された骨伝導スピーカ部とからなり、骨伝導スピーカ部は屈曲部４を有する調整アーム２とその先端に設けた音響振動体６とにより構成され、Ｕ字型アーム１と調整アーム２との接続部５において、Ｕ字型アーム１の端部に中空部１−２を設け、調整アーム２の端部に突出部２−４を設け、その差込深さを変えることで音響振動体６の接触位置を調整でき、軸のひねり角度を変えることによりひねりの反力で音響振動体６の圧接の条件を調整でき、接続部５の締め付けねじ３により固定する。【選択図】  図２
2009033504.tif 000002
【特許請求の範囲】
【請求項１】
Ｕ字型アームとその先端に接続された骨伝導スピーカ部とからなり、該骨伝導スピーカ部は屈曲部を有する調整アームとその先端に設けた音響振動体とにより構成され、前記Ｕ字型アームと前記調整アームとの接続部において、前記調整アームの長さおよび前記Ｕ字型アームと前記音響振動体の成す角度が調整可能に構成され、前記Ｕ字型アームが後頭部から伸びて前記Ｕ字型アームまたは前記調整アームの一部が左右の耳介上部に位置し、前記音響振動体が左右の耳珠もしくはその近傍に接触することにより音響振動を伝えることを特徴とする骨伝導型受話装置。
【請求項２】
前記Ｕ字型アームの端部または前記調整アームの端部のいずれか一方に孔または溝を形成し、前記Ｕ字型アームの端部または前記調整アームの端部の他方に前記孔または前記溝に嵌合して回動可能な突出部を設け、前記Ｕ字型アームの端部または前記調整アームの端部の少なくとも一方に前記Ｕ字型アームと前記調整アームとを固定する手段を設置したことを特徴とする請求項１記載の骨伝導型受話装置。
【発明の詳細な説明】
【技術分野】
【０００１】
本発明は音響振動を発生する骨伝導スピーカを利用した骨伝導型受話装置に関するものである。
【背景技術】
【０００２】
骨伝導を用いた受話装置については、特許文献１、２のように多くの提案がなされているが、基本的には既存のヘッドセットにおいてスピーカの位置する部分が、音響振動体に置き換わった構成を取っている。また、音響振動体が顔にあてがわれる位置は、概ね最も感度の高い外耳道入り口前部が使用されている。
【０００３】
【特許文献１】特開平１１−２１５５８１号公報
【特許文献２】特開２００３−１８６８３号公報
【発明の開示】
【発明が解決しようとする課題】
【０００４】
従来の一般的な気導音で聴くヘッドセットの場合は、スピーカの音声放射部が外耳道の前に軽く接触して位置していれば、音響性能に関して接触条件に関する条件は殆ど問われることなく、その目的に応じた音質や音量が聴取できる。一方、骨伝導スピーカの場合は音響振動体部分の接触条件が音響性能に著しい影響を及ぼす。
【０００５】
音響振動体を顔に接触して、振動を伝搬する場合に最も敏感に音を感じる部分は上述のように外耳道入り口付近、特に耳珠である。さらに音響振動体の振動面が接触する圧力に応じて主観的に感じる音量は増大し、低音部分も聞こえやすくなる。ところが、この受話装置を装着する人間の頭部形状は性別、髪型、年代、人種ら様々な要素で変化し多様であり、この種のヘッドセットは装着時に容易にこの接触位置と接触圧力を調整できることが望まれる。
【０００６】
従来からある通常の気導音のヘッドセットの構成を図４に模式的に示す。いくつかの構成があり、図４（ａ）は、Ｕ字型アームを頭部の上に載せて両耳もしくは片耳にスピーカをあてがう方式を示し、図４（ｂ）は、Ｕ字型アームを聴診器のように下からかけて両耳にスピーカ部をあてがう方式を示し、図４（ｃ）は、頭部の後ろから夾みこむアームが耳介上部に乗った部分で屈曲して伸びたアーム先端にスピーカ部分が構成され外耳道入り口に音声発生部が向かい合う方式を示す。いずれもＵ字型のアームには矢印の方向に一定の弾性を持たせて保持の安定性を持たせている。
【０００７】
一方、これらの構成で骨伝導のヘッドセットを構成する場合、図４（ａ）の方式ではＵ字の矢印方向の弾性力が骨伝導スピーカの頭部への圧接力として使用できるが、圧接部は骨伝導と同時に頭部へのヘッドセット全体の保持を兼用していることと、耳介と異なり摩擦の少ない部分に接するため安定性がないことから、本構成が骨伝導スピーカに使用される場合は比較的少ない。
【０００８】
同様に図４（ｂ）の構成も、Ｕ字の弾性力を骨伝導スピーカの圧接力に使用できるが、すべり落ちやすく安定性が低いため、特許文献２にあるような耳掛け部を取り付けて不安定性をカバーしたりする方式が提案されている。図４（ｃ）に示す構成では、アームが耳介上部にかかり、その位置からわずかに前側に屈曲点を設け、そこから伸びた一定の長さの先端部に骨伝導スピーカを備え、後頭部からＵ字型アームを左右の耳介に載せたとき、音響振動体が外耳道入り口に接触する構成となっている。従ってアームは両耳介をフックのように使い、さらにＵ字型アームの底部分は首の後ろに乗るため比較的安定した装着ができる。しかし、このＵ字型アームの矢印方向の弾性力は概ね耳介上部の頭骨で受け止められる為にアームの先端にある音響振動体を外耳道入り口に圧接する為の弾性力にはならない。
【０００９】
上述のように、骨伝導スピーカの場合は音響振動体部分の接触条件が音響性能に著しい影響を及ぼすために常に接触位置や接触圧力を考慮する必要があるが、上記の従来の一般的なヘッドセットの構成では十分ではない。また、これらを骨伝導スピーカに適するように調整する機構は一般的に複雑になりやすく、結果として体積や重量が増してしまう。軽量化を要求される受話装置にとって大きな課題であった。
【００１０】
そこで、本発明の課題は、骨伝導スピーカの音響振動体の接触位置と接触圧力を簡便に調整することが可能で、かつ、体積や重量の増大を抑えることが可能な骨伝導型受話装置を提供することである。
【課題を解決するための手段】
【００１１】
上記課題を達成するため、本発明の骨伝導型受話装置は、Ｕ字型アームとその先端に接続された骨伝導スピーカ部とからなり、該骨伝導スピーカ部は屈曲部を有する調整アームとその先端に設けた音響振動体とにより構成され、前記Ｕ字型アームと前記調整アームとの接続部において、前記調整アームの長さおよび前記Ｕ字型アームと前記音響振動体の成す角度が調整可能に構成され、前記Ｕ字型アームが後頭部から伸びて前記Ｕ字型アームまたは前記調整アームの一部が左右の耳介上部に位置し、前記音響振動体が左右の耳珠もしくはその近傍に接触することにより音響振動を伝えることを特徴とする。
【００１２】
ここで、前記Ｕ字型アームの端部または前記調整アームの端部のいずれか一方に孔または溝を形成し、前記Ｕ字型アームの端部または前記調整アームの端部の他方に前記孔または前記溝に嵌合して回動可能な突出部を設け、前記Ｕ字型アームの端部または前記調整アームの端部の少なくとも一方に前記Ｕ字型アームと前記調整アームとを固定する手段を設置してもよい。
【００１３】
本発明は、発明者らが上述の課題について鋭意検討を重ねた結果、安定性のある装着が可能であると同時に、大きな体積や重量の増大にならず音響振動体の接触圧力と、接触位置が容易に調整できる上記構成を見出したことによる。
【発明の効果】
【００１４】
上述のように、本発明においては、Ｕ字型アームと調整アームとの接続部において、調整アームの長さや角度を調整でき、かつ固定可能な簡単な機構を用いることにより、骨伝導スピーカの音響振動体の接触位置と接触圧力を簡便に調整することが可能で、かつ体積や重量の増大を抑えることが可能な骨伝導型受話装置が得られる。
【発明を実施するための最良の形態】
【００１５】
以下、図面を参照して本発明の実施の形態を説明する。
【００１６】
図１、図２、図３は、本発明による骨伝導型受話装置の一実施の形態を示す図であり、図１は本実施の形態による骨伝導型受話装置の外観斜視図、図２は本実施の形態による骨伝導型受話装置の分解斜視図、図３は本実施の形態による骨伝導型受話装置を装着したときの外観図である。
【００１７】
図１において、本実施の形態による骨伝導型受話装置は、Ｕ字型アーム１とその先端に接続された骨伝導スピーカ部とからなり、骨伝導スピーカ部は屈曲部４を有する調整アーム２とその先端に設けた音響振動体６とにより構成され、Ｕ字型アーム１と調整アーム２との接続部５において、調整アーム２の長さおよびＵ字型アーム１と音響振動体６の成す角度が調整可能に構成されている。また、図３において、Ｕ字型アーム１が後頭部から伸びてＵ字型アーム１または調整アーム２の一部が左右の耳介上部に位置し、音響振動体６が左右の耳珠もしくはその近傍に接触することにより音響振動を伝えるように装着される。
【００１８】
骨伝導スピーカ部を含むＵ字型アーム１の軸上において、調整アーム２の屈曲部４より根本側の部分と、音響振動体６のある先端部の間に軸方向に対して一定のねじり角度φを持つように接続部５を構成し、同時に調整アーム２及びＵ字型アーム１に軸方向のねじりに対する弾性を持たせると、ヘッドセットの装着時には図３の矢印のように音響振動体６が顔に接する場合には逆方向に−φだけねじられて装着され、その反力を音響振動体６を顔に圧接する力として有効に使用できる。ここでφはＵ字型アーム１が含まれる面に垂直な面と音響振動体６が成す角度である。
【００１９】
従って、このねじり角φを調整することによって顔に圧接する力を調整することが可能になり、さらに軸方向の長さを合わせて調整できるようにすると位置調整も同時にできる。その具体的方法の一例は、Ｕ字型アーム１の端部、もしくは調整アーム２の端部の一部を中空にして、他方の端部を差し込める構造とし、その差込部に締め付け用のねじを取り付けることにより構成する方法である。初期に条件を調整し、締め付け用のねじで固定するとその状態が保持される。
【００２０】
また、差し込む深さを変えることで調整アーム２の実質的な長さが変わり、音響振動体６の接触位置を調整できる。軸のひねり角度を変えると装着時にひねりの反力により音響振動体６の圧接の条件を調整できる。この構成は単純であるため、部品点数も少なく体積並びに重量の増大もないことから、きわめて有効に利用でき骨伝導スピーカのヘッドセットの装着に伴う課題を解決できる。
【実施例】
【００２１】
以下、図２を参照しながら本発明の骨伝導型受話装置の実施例について詳細に説明する。
【００２２】
図２において、Ｕ字型アーム１は塩化ビニール系樹脂で構成され、その端部は中空部１−２となり、さらに先端部は一定の深さの切り込み１−３が入ると同時に、周囲に雄ねじ１−４が切られている。屈曲部４を含む骨伝導スピーカ部の調整アーム２は、外皮部はウレタンゴムで構成されるが内部には音響振動体６を構成する圧電バイモルフ２−１と板バネ２−２及び心棒軸２−３が組み込まれ、心棒軸２−３の一部は調整アーム２の端部より外側に一定の長さで突出した突出部２−４となっている。
【００２３】
心棒軸の直径はＵ字型アーム１の中空部１−２の穴径よりやや細く作られており、Ｕ字型アーム１の中空部に締め付けねじ３を経由して挿入される。締め付けねじ３は雌ねじが切られており内径にテーパが付けられ締め付けていくと内径が細くなり切り込み１−３の部分が圧縮されて心棒軸２−３の突出部２−４を強固に締め付けることができる。所望の具合の良い位置で締め付けねじ３を締め付けることで調整アーム２はＵ字型アーム１に強固に固定される。ウレタンゴムで構成された調整アーム２は頭部への装着に際して、心棒軸２−３の周りに一定の角度でねじられて装着される。このねじりの反力はウレタンゴムの弾性を用いたもので適度の圧接力を持って外耳道入り口部分に音響振動体６が接触する。
【００２４】
また、板バネ２−２は、この弾性力を調整する目的で使用したものであり、その形状、材質等は適宜選択される。このねじりの弾性をつくるための構成としては、弦巻状のバネの利用も可能であり、また樹脂材の弾性を用いても良い。また、本実施例では骨伝導スピーカの音響振動体６は、圧電バイモルフをウレタンゴムで被覆した構成で実現しているがこれはこの方式に限定するものではなく、他の圧電方式や電磁式でも良い。
【００２５】
以上のように、本発明により、部品点数も少なく体積並びに重量の増大もなく、骨伝導スピーカにとって不可欠な圧接力並びに装着位置を容易に調整できる骨伝導ヘッドセットが得られる。
【００２６】
なお、本発明は上述の実施の形態に限定されるものではないことは言うまでもなく、例えば突出部をＵ字型アームの端部に設け、それに嵌合する孔を調整アームの端部に設けても良く、また孔の替わりに溝形状であってもよい。また、固定用の締め付けねじは他のクランプ手段であってもよい。
【図面の簡単な説明】
【００２７】
【図１】本発明による骨伝導型受話装置の一実施の形態の外観斜視図。
【図２】本発明による骨伝導型受話装置の一実施の形態の分解斜視図。
【図３】本発明による骨伝導型受話装置の一実施の形態を装着したときの外観図。
【図４】従来の気導音のヘッドセットの構成を示す模式図、図４（ａ）はＵ字アームを頭部の上に載せてスピーカをあてがう方式、図４（ｂ）はＵ字アームを下からかけてスピーカをあてがう方式、図４（ｃ）は頭部の後ろから夾みこむアームが屈曲して伸びた先端にスピーカ部分が構成された方式を示す図。
【符号の説明】
【００２８】
１    Ｕ字型アーム
１−２    中空部
１−３    切り込み
１−４    雄ねじ
２    調整アーム
２−１    圧電バイモルフ
２−２    板バネ
２−３    心棒軸
２−４    突出部
３    締め付けねじ
４    屈曲部
５    接続部
６    音響振動体
【図１】
2009033504.tif 000003
【図２】
2009033504.tif 000004
【図３】
2009033504.tif 000005
【図４】
2009033504.tif 000006